【手続補正書】
【提出日】平成24年6月24日(2012.6.24)
【手続補正１】
【補正対象書類名】特許請求の範囲
【補正対象項目名】全文
【補正方法】変更
【補正の内容】
【特許請求の範囲】
【請求項１】
動画や音楽などの時間と共に移り変わる性質を有するコンテンツを、通信または放送によって送信すると共に、コンテンツの表示に合わせて表示させるための広告などの告知情報を取得するためのリンク情報を、通信または放送により送信し、
これ等を受信して、コンテンツは表示装置の表示画面のコンテンツ表示領域に表示し、これとは別にリンク情報は同表示画面のティッカ表示領域に表示するシステムであって、
送信側に：
コンテンツを記録するためのコンテンツ記憶部と、
コンテンツに関係付けたタグやキャプションなどの付帯情報を記録するための付帯情報記憶部と、
広告などの告知情報を取得するためのアドレス情報を記録するためのアドレス情報記憶部と、
クライアントコンピュータからのコンテンツ送信要求を受けてクライアントコンピュータの表示画面のコンテンツ表示領域に表示されるようにコンテンツ記憶部から読み出したコンテンツを通信によって送信するか、または放送スケジュールに従ってコンテンツ記憶部から読み出したコンテンツをテレビジョン受信機の表示装置の画面のコンテンツ表示領域に表示されるように放送する、コンテンツ送信手段と、
前記付帯情報記憶部の付帯情報と前記アドレス情報記憶部のアドレス情報とを比較して、付帯情報にマッチングするアドレス情報を選び出してリンク情報を作成するリンク情報生成手段と、このリンク情報をクライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送するリンク情報送信手段と、を備え、
受信側に：
表示装置の表示画面に、
通信または放送によって取得した、動画や音楽などの時間と共に移り変わる性質を有するコンテンツを表示するためのコンテンツ表示領域と、
通信または放送により取得した前記リンク情報を、時間と共に移り変わるように且つ入力装置で選択した時に前記告知情報を取得し得るように、表示するためのティッカ表示領域と、
を並べて表示する表示手段と、
を備えているリンク情報付きコンテンツの送受信システム。
【請求項２】
前記リンク情報は、アドレス情報の前記コンテンツ中での出現位置を定めたマーカが記載されたものであり、前記表示手段は、このマーカをリンク情報中に見つけた場合には、ティッカ表示領域に於いてアドレス情報に係るリンク情報の表示を前記マーカに基づいてコンテンツの表示に同期させるものである、請求項１に記載のリンク情報付きコンテンツの送受信システム。
【請求項３】
動画や音楽などの時間と共に移り変わる性質を有するコンテンツを、通信または放送によって送信すると共に、コンテンツの表示に合わせて表示させるための広告などの告知情報を取得するためのリンク情報を、通信または放送により送信し、
これ等を受信して、コンテンツは表示装置の表示画面のコンテンツ表示領域に表示し、これとは別にリンク情報は同表示画面のティッカ表示領域に表示するシステムであって、
送信側に：
コンテンツを記録するためのコンテンツ記憶部と、
予め、コンテンツ記憶部から読み出したコンテンツを表示装置に表示しながら、この表示中のコンテンツの場面場面の内容から複数個のトピックを見出して、各々のトピックに関連する広告などの告知情報へのリンク情報を入力しておくための入力装置と、
このリンク情報を記録するためのリンク情報記憶部と、
クライアントコンピュータからのコンテンツ送信要求を受けてクライアントコンピュータの表示画面のコンテンツ表示領域に表示されるようにコンテンツ記憶部から読み出したコンテンツを通信によって送信するか、または放送スケジュールに従ってコンテンツ記憶部から読み出したコンテンツをテレビジョン受信機の表示装置の画面のコンテンツ表示領域に表示されるように放送する、コンテンツ送信手段と、
前記リンク情報をリンク情報記憶部から読み出して、クライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送するリンク情報送信手段と、を備え、
受信側に：
表示装置の表示画面に、
通信または放送によって取得した、動画や音楽などの時間と共に移り変わる性質を有するコンテンツを表示するためのコンテンツ表示領域と、
通信または放送により取得した前記リンク情報を、時間と共に移り変わるように且つ入力装置で選択した時に前記告知情報を取得し得るように、表示するためのティッカ表示領域と、
を並べて表示する表示手段と、を備えており、
送信側の前記入力装置は、前記表示中のコンテンツを構成する複数個のフレームの内の任意フレームの内容から前記トピックを見出してこのトピックに関連する前記リンク情報を入力するものであるが、この際に前記トピックがどのフレームに出現しているかを示す出現フレーム情報としてのマーカを、または前記トピックが出現しているコンテンツ中の時間軸上での出現位置情報としてのマーカを、前記リンク情報に加えることを可能にするものであり、
受信側の前記表示手段は、前記マーカを前記リンク情報中に見つけた場合には、前記ティッカ表示領域に於いてリンク情報の表示を前記マーカに基づいてコンテンツの表示に同期させるものである、
リンク情報付きコンテンツの送受信システム。
【請求項４】
更にユーザーからのキーワードを受け付けて、コンテンツまたは告知情報を検索してキーワードにマッチングするコンテンツを索出するコンテンツ検索手段を備え、この検索結果のコンテンツをコンテンツ選択肢としてクライアントコンピュータの表示画面に提示するものである、請求項１または請求項３に記載のリンク情報付きコンテンツの送受信システム。
【請求項５】
更に、各々のユーザーのティッカ表示領域上でのリンク情報の選択を受けてこのリンク情報に関連する告知情報を見出してこの告知情報へのリンク情報を各々のユーザーの嗜好に係るリンク情報として各々のユーザーの表示画面のティッカ表示領域に表示されるように送信するか、または多数のユーザーのティッカ表示領域上でのリンク情報の選択を受けてより多く選択されたリンク情報を見出してこのリンク情報を全てのユーザーの表示画面のティッカ表示領域に表示されるように送信する、請求項１または請求項３に記載のリンク情報付きコンテンツの送受信システム。
【請求項６】
動画や音楽などの時間と共に移り変わる性質を有するコンテンツを、通信または放送によって提供すると共に、コンテンツの表示に合わせて表示させるための広告などの告知情報を取得するためのリンク情報を、通信または放送により提供する方法であって、
コンテンツと、コンテンツに付与したタグやキャプションなどの付帯情報と、広告などの告知情報を取得するためのアドレス情報と、を有すること、
コンテンツをクライアントコンピュータの表示画面の、またはテレビジョン受信機の表示画面の、コンテンツ表示領域に表示されるように送信すること、
このコンテンツの付帯情報にマッチングするアドレス情報を選び出してリンク情報を作成すること、
このリンク情報をクライアントコンピュータの表示画面の、またはネットワーク接続されたテレビジョン受信機の表示画面の、ティッカ表示領域に表示されるように送信すること、
を含むリンク情報付きコンテンツの提供方法。
【請求項７】
更にアドレス情報の前記コンテンツ中での出現位置を定めたマーカを、前記リンク情報に加えることを含む、請求項６に記載のリンク情報付きコンテンツの提供方法。
【請求項８】
動画や音楽などの時間と共に移り変わる性質を有するコンテンツを、通信または放送によって提供すると共に、コンテンツの表示に合わせて表示させるための広告などの告知情報を取得するためのリンク情報を、通信または放送により提供する方法であって、
コンテンツと、このコンテンツを表示装置に表示しながら、この表示中のコンテンツの場面場面の内容から複数個のトピックを見出して、前記各々のトピックに関連する広告などの告知情報を取得するための、予め入力装置から入力しておいたリンク情報と、を有すること、
前記リンク情報は、前記表示中のコンテンツを構成する複数個のフレームの内の任意フレームの内容から見出されたトピックに関連するものであり、且つこのトピックがどのフレームに出現しているかを示す出現フレーム情報としてのマーカがまたは前記トピックが出現しているコンテンツ中の時間軸上での出現位置情報としてのマーカが加えられたものであること、
コンテンツをクライアントコンピュータの表示画面の、またはテレビジョン受信機の表示画面の、コンテンツ表示領域に表示されるように送信すること、
前記リンク情報をクライアントコンピュータの表示画面の、またはネットワーク接続されたテレビジョン受信機の表示画面の、ティッカ表示領域に表示されるように送信すること、
を含むリンク情報付きコンテンツの提供方法。
【請求項９】
更にユーザーからのキーワードを受け付け、コンテンツまたは告知情報を検索してキーワードにマッチングするコンテンツを索出すること、
この検索結果のコンテンツをコンテンツ選択肢として提示することを含む、請求項６または請求項８に記載のリンク情報付きコンテンツの提供方法。
【請求項１０】
更に、各々のユーザーのティッカ表示領域上でのリンク情報の選択を受けてこのリンク情報に関連する告知情報を見出してこの告知情報へのリンク情報を各々のユーザーの嗜好に係るリンク情報として各々のユーザーの表示画面のティッカ表示領域に表示されるように送信するか、または多数のユーザーのティッカ表示領域上でのリンク情報の選択を受けてより多く選択されたリンク情報を見出してこのリンク情報を全てのユーザーの表示画面のティッカ表示領域に表示されるように送信することを含む、請求項６または請求項８に記載のリンク情報付きコンテンツの提供方法。
【請求項１１】
請求項６乃至請求項１０の何れか１に記載のリンク情報付きコンテンツの提供方法をコンピュータに実行させるプログラム。
【請求項１２】
請求項６乃至請求項１０の何れか１に記載のリンク情報付きコンテンツの提供方法をコンピュータに実行させるためのプログラムを記録した、コンピュータ読み取り可能な記録媒体。
【請求項１３】
表示装置の表示画面に、
通信または放送によって取得した、
動画や音楽などの時間と共に移り変わる性質を有するコンテンツ、
を表示するためのコンテンツ表示領域と、
通信または放送により取得した、
前記コンテンツの付帯情報と、この付帯情報にマッチングする広告などの告知情報を取得するためのアドレス情報と、を関連付けたリンク情報、
を時間と共に移り変わるように且つ後記ティッカ表示領域に一時に複数個のリンク情報が表示されるように且つ入力装置で選択した時に前記告知情報を取得し得るように、表示するための前記ティッカ表示領域と、
を並べて表示する表示手段を備えており、
この表示手段はリンク情報をコンテンツの表示に合わせて表示するものである、リンク情報付きコンテンツの表示装置。
【請求項１４】
表示装置の表示画面に、
通信または放送によって取得した、
動画や音楽などの時間と共に移り変わる性質を有するコンテンツ、
を表示するためのコンテンツ表示領域と、
通信または放送により取得した、
前記コンテンツの場面場面の内容から見出された複数個のトピックの、各々のトピックに関係付けて準備された、広告などの告知情報を取得するためのリンク情報、
を時間と共に移り変わるように且つ後記ティッカ表示領域に一時に複数個のリンク情報が表示されるように且つ入力装置で選択した時に前記告知情報を取得し得るように、表示するための前記ティッカ表示領域と、
を並べて表示すると共に、リンク情報をコンテンツの表示に合わせて表示する、表示手段を備えている、リンク情報付きコンテンツの表示装置。
【請求項１５】
更に前記表示手段は、アドレス情報またはトピックの前記コンテンツ中での出現位置を定めたマーカをリンク情報中に見つけた場合には、ティッカ表示領域に於いてアドレス情報に係るリンク情報の表示を前記マーカに基づいてコンテンツの表示に同期させるものである、請求項１３または請求項１４に記載のリンク情報付きコンテンツの表示装置。
【請求項１６】
更に前記リンク情報を保存しておくためのリンク情報記憶部を備えている、請求項１３または請求項１４に記載のリンク情報付きコンテンツの表示装置。
【請求項１７】
通信または放送によって取得した、動画や音楽などの時間と共に移り変わる性質を有するコンテンツを、表示装置の表示画面のコンテンツ表示領域に表示すること、
通信または放送により取得した、前記コンテンツの付帯情報と、この付帯情報にマッチングする広告などの告知情報を取得するためのアドレス情報と、を関連付けたリンク情報を、時間と共に移り変わるように且つ後記ティッカ表示領域に一時に複数個のリンク情報が表示されるように且つ入力装置で選択した時に前記告知情報を取得し得るように、前記表示画面の前記ティッカ表示領域に表示すること、
前記コンテンツ表示領域と前記ティッカ表示領域とを並べて表示すること、
リンク情報をコンテンツの表示に合わせて表示すること、
を含むリンク情報付きコンテンツの表示方法。
【請求項１８】
通信または放送によって取得した、動画や音楽などの時間と共に移り変わる性質を有するコンテンツを、表示装置の表示画面のコンテンツ表示領域に表示すること、
通信または放送により取得した、前記コンテンツの場面場面の内容から見出された複数個のトピックの、各々のトピックに関係付けて準備された、広告などの告知情報を取得するためのリンク情報を、時間と共に移り変わるように且つ後記ティッカ表示領域に一時に複数個のリンク情報が表示されるように且つ入力装置で選択した時に前記告知情報を取得し得るように、前記表示画面の前記ティッカ表示領域に表示すること、
前記コンテンツ表示領域と前記ティッカ表示領域とを並べて表示すること、
リンク情報をコンテンツの表示に合わせて表示すること、
を含むリンク情報付きコンテンツの表示方法。
【請求項１９】
更にアドレス情報またはトピックの前記コンテンツ中での出現位置を定めたマーカをリンク情報中に見つけた場合には、アドレス情報に係るリンク情報の表示を前記マーカに基づいてコンテンツの表示に同期させるようにすること、を含む請求項１７または請求項１８に記載のリンク情報付きコンテンツの表示方法。
【請求項２０】
更に前記ティッカ表示領域でリンク情報が入力装置によって選択された場合には、前記コンテンツ表示領域でのコンテンツの表示を一時停止するようにすること、を含む請求項１７または請求項１８に記載のリンク情報付きコンテンツの表示方法。
【請求項２１】
更に前記ティッカ表示領域でリンク情報が入力装置によって選択された場合には、前記コンテンツ表示領域でのコンテンツの表示を一時停止すると共に、少なくともこの時点よりコンテンツの録画を開始するようにして、次に一時停止が解除されたらこれ以降のコンテンツの表示では前記録画内容の再生表示を選択できるようにすること、を含む請求項１７または請求項１８に記載のリンク情報付きコンテンツの表示方法。
【請求項２２】
更に前記リンク情報を必要に応じて読み出し得るように保存しておくことを含む、請求項１７または請求項１８に記載のリンク情報付きコンテンツの表示方法。
【請求項２３】
請求項１７乃至請求項２２の何れか１に記載のリンク情報付きコンテンツの表示方法をコンピュータに実行させるプログラム。
【請求項２４】
請求項１７乃至請求項２２の何れか１に記載のリンク情報付きコンテンツの表示方法をコンピュータに実行させるためのプログラムを記録した、コンピュータ読み取り可能な記録媒体。
【請求項２５】
動画や音楽などの時間と共に移り変わる性質を有すると共に、タグやキャプションなどの付帯情報が関連付けされている、コンテンツを中継する中継装置であって、
広告などの告知情報を取得するためのアドレス情報を記録するためのアドレス情報記憶部と、
コンテンツを受信して、このコンテンツから前記付帯情報部分を抽出する付帯情報抽出装置と、
少なくともコンテンツの主要部をクライアントコンピュータの表示画面のコンテンツ表示領域に表示されるように、通信によって転送するか、またはクライアントコンピュータからコンテンツの送信側にコンテンツ送信要求を出させるようにするコンテンツ中継手段と、
この付帯情報抽出装置で抽出された付帯情報と前記アドレス情報記憶部のアドレス情報とを比較して、付帯情報にマッチングするアドレス情報を選び出してリンク情報を作成し、このリンク情報をクライアントコンピュータの表示画面のティッカ表示領域に表示されるように通信により送信するリンク情報送信手段と、
を備えているコンテンツの中継装置。
【請求項２６】
動画や音楽などの時間と共に移り変わる性質を有すると共に、タグやキャプションなどの付帯情報が関連付けされている、コンテンツを中継するコンテンツの中継方法であって、
広告などの告知情報を取得するためのアドレス情報を有すること、
コンテンツを受信して、このコンテンツから付帯情報部分を抽出すること、
少なくともコンテンツの主要部をクライアントコンピュータの表示画面のコンテンツ表示領域に表示されるように、通信によって転送するか、またはクライアントコンピュータからコンテンツの送信側にコンテンツ送信要求を出させるようにすること、
このコンテンツの付帯情報にマッチングするアドレス情報を選び出してリンク情報を作成すること、
このリンク情報をクライアントコンピュータの表示画面のティッカ表示領域に表示されるように通信により送信すること、
を含むコンテンツの中継方法。
【請求項２７】
請求項２６に記載のコンテンツの中継方法をコンピュータに実行させるプログラム。
【請求項２８】
請求項２６に記載のコンテンツの中継方法をコンピュータに実行させるためのプログラムを記録した、コンピュータ読み取り可能な記録媒体。
【請求項２９】
コンピュータで処理されるリンク情報の提供方法であって、
動画のコンテンツの時々刻々の内容に合わせて付与された付帯情報としてのキャプションと、広告などの告知情報を取得するためのアドレス情報と、を有すること、
前記キャプションを分析して複数個のトピックを得ること、
トピックのコンテンツ中の時間軸上での出現位置を調べて、各々のトピックの出現位置を特定すること、
各々のトピックにマッチングするアドレス情報を選び出して、前記出現位置情報を有するリンク情報を作成すること、
このリンク情報をクライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送すること、
を含むリンク情報の提供方法。
【請求項３０】
動画のコンテンツを構成する複数個のフレームの内の何れかのフレームに付与されたこのフレームの内容を表わすタグやコメントなどの付帯情報と、広告などの告知情報を取得するためのアドレス情報と、を有すること、
前記フレームに付与されている付帯情報を検索して付帯情報にマッチングするアドレス情報を選び出して、マッチングした付帯情報が属するフレームのコンテンツ中での出現位置を示すフレーム位置情報を含めたリンク情報を作成すること、
このリンク情報をクライアントコンピュータの表示画面の、またはネットワーク接続されたテレビジョン受信機の表示画面の、ティッカ表示領域に表示されるように送信するか、またはテレビジョン受信機の表示画面の、ティッカ表示領域に表示されるように放送すること、
を含むリンク情報の提供方法。
【請求項３１】
請求項２９または請求項３０に記載のリンク情報の提供方法をコンピュータに実行させるプログラム。
【請求項３２】
請求項２９または請求項３０に記載のリンク情報の提供方法をコンピュータに実行させるためのプログラムを記録した、コンピュータ読み取り可能な記録媒体。
【請求項３３】
動画のコンテンツを記録しておくためのコンテンツ記憶システムと、予めコンテンツを構成するフレームに広告などの告知情報へのリンク情報を付与しておくためのリンク情報入力システムと、前記リンク情報を受信側の表示画面のティッカ表示領域に表示されるように送信するまたは放送するリンク情報送信システムと、とから構成されるシステムであって、
前記コンテンツ記憶システムは、動画のコンテンツを記録しておくためのコンテンツ記憶部を備え、
前記リンク情報入力システムは、前記コンテンツ記憶部から読み出したコンテンツを表示する表示装置と、前記コンテンツを表示しながら、コンテンツを構成する複数個のフレームの内の任意フレームに、このフレームの内容からトピックを見出してこのトピックに関連する広告などの告知情報へのリンク情報を付すべく、このリンク情報を入力するためであると共に、前記トピックがどのフレームに出現しているかを示す出現フレーム情報としてのマーカを、または前記トピックが出現しているコンテンツ中の時間軸上での出現位置情報としてのマーカを、前記リンク情報に加えるための入力装置と、この入力されたリンク情報を記録するためのリンク情報記憶部と、を備え、
前記リンク情報送信システムは、リンク情報を前記リンク情報記憶部から読み出して、クライアントコンピュータの表示画面の、またはネットワーク接続されたテレビジョン受信機の表示画面の、ティッカ表示領域に表示されるように送信する送信装置、またはテレビジョン受信機の表示画面の、ティッカ表示領域に表示されるように放送する放送装置、を備え、
ていることを特徴とするリンク情報の提供システム。
【請求項３４】
動画のコンテンツを記録しておくためのコンテンツ記憶システムと、予めコンテンツを構成するフレームに広告などの告知情報へのリンク情報を付与しておくためのリンク情報入力システムと、前記リンク情報を受信側の表示画面のティッカ表示領域に表示されるように送信するまたは放送するリンク情報送信システムと、とから構成されるシステムであって、
前記コンテンツ記憶システムは、動画のコンテンツを記録しておくためのコンテンツ記憶部を備え、
前記リンク情報入力システムは、前記コンテンツ記憶部から読み出したコンテンツを表示する表示装置と、前記コンテンツを表示しながら、コンテンツを構成する複数個のフレームの内の任意フレームに、このフレームの内容からトピックを見出してこのトピックに関連する広告などの告知情報へのリンク情報を付すべく、このリンク情報を入力するための入力装置と、この入力されたリンク情報を記録するためのリンク情報記憶部と、を備え、
前記表示装置はコンテンツの表示を任意のフレームで一時停止させる一時停止機能を備えており、前記リンク情報入力システムは前記トピックの出現位置を、コンテンツの表示が一時停止された位置のフレームのコンテンツ中での出現位置を示すフレーム位置情報またはトピックのコンテンツ中の時間軸上での出現位置情報を用いて、前記リンク情報に加えるためのものであり、
前記リンク情報送信システムは、リンク情報を前記リンク情報記憶部から読み出して、クライアントコンピュータの表示画面の、またはネットワーク接続されたテレビジョン受信機の表示画面の、ティッカ表示領域に表示されるように送信する送信装置、またはテレビジョン受信機の表示画面の、ティッカ表示領域に表示されるように放送する放送装置、を備え、
ていることを特徴とするリンク情報の提供システム。
【手続補正２】
【補正対象書類名】明細書
【補正対象項目名】００３８
【補正方法】変更
【補正の内容】
【００３８】
この実施形態を分かりやすくイメージしたものが図１１であるが、再生中の動画が流れるタイムライン５１と、リンク情報が流れるタイムライン４５と、が並行して表わされており、符号５２は動画再生の現時点を指し、この時点の前後を範囲とする幾つものハイパーリンク表題４３が、限られた表示面積のティッカ表示窓６の中を、スペースで区切られて流れるように表示されている。ハイパーリンク表題４３は動画コンテンツの内容と関連がある。リンク情報ファイル４２に記載するハイパーリンク表題４３の数は、動画が流れるタイムライン５１の時間内に収まるようにすれば良い。なおこの数が少ないようであればティッカ表示をループさせるなどすれば良い。